【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
第１の事業体が送出する第１のサービス信号を含む、４Ｋ８Ｋ放送の少なくとも１つを受信し、前記第１のサービス信号に含まれる、暗号化された第１キー（Ｋｗ1）を含む前記第１の事業体の第１制御情報（ＥＭＭ１）、暗号化された第２キー（Ｋｓ1）を含む前記第１の事業体の第２制御情報（ＥＣＭ１）ならびにスクランブルコンテンツを受信する第１のチューナと、
第２の事業体が送出する第２のサービス信号を含む、４Ｋ８Ｋ放送の少なくとも１つを受信し、前記第２のサービス信号に含まれる、暗号化された第１キー（Ｋｗ２）を含む前記第２の事業体の第１制御情報（ＥＭＭ２）、暗号化された第２キー（Ｋｓ２）を含む前記第１の事業体の第２制御情報（ＥＣＭ２）ならびにスクランブルコンテンツを受信する第２のチューナと、
第３の事業体が送出する第３のサービス信号を含む、２Ｋ放送の少なくとも１つを受信し、前記第１のサービス信号に含まれる、暗号化された第１キー（Ｋｗ３）を含む前記第３の事業体の第１制御情報（ＥＭＭ３）、暗号化された第２キー（Ｋｓ３）を含む前記第３の事業体の第２制御情報（ＥＣＭ３）ならびにスクランブルコンテンツを受信する少なくとも１つの２Ｋチューナと、
前記第１のチューナ、第２のチューナ、２Ｋチューナから出力された前記スクランブルコンテンツをデスクランブルするデスクランブラと、
前記デスクランブラから出力されるコンテンツの所定のテーブルをチェックすること、前記所定のテーブルに含まれているパケットＩＤに基づいて、前記第１制御情報（ＥＭＭ）、前記第２制御情報（ＥＣＭ）を取り出すこと、前記第１のチューナ、前記第２のチューナ、前記２Ｋチューナ、及び前記デスクランブラの制御を行う制御部と、
前記制御部により制御され、各事業体の前記第１制御情報（ＥＭＭ）から、固有の第３キー（Ｋｍ）を用いて前記第１キー（Ｋｗ）を取得し、各事業体の前記第２制御情報（ＥＣＭ）から、取得された前記第１キー（Ｋｗ）を用いて、前記デスクランブラに与えるための前記第２キー（Ｋｓ）を取得するＣＡＳモジュールと、を備え、
さらに前記制御部は、前記第１制御情報（ＥＭＭ）を受信してから前記第１制御情報（ＥＭＭ）に対応した第１コマンド送信を前記ＣＡＳモジュールに対して行う第１の期間を事業体を単位として設定し、且つ、前記第１の期間に前記第１制御情報（ＥＭＭ）を最小Ｒ（１以上の整数）個処理すべきことを設定しており、
前記第１のチューナ、前記第２のチューナ、前記２Ｋチューナにより各事業体の前記第１制御情報（ＥＭＭ）が受信されてから所定の時間内に前記第１制御情報（ＥＭＭ）に対応した所定数の第１コマンド送信を前記ＣＡＳモジュールに対して行い、前記第１制御情報（ＥＭＭ）が受信されてから前記第１コマンド送信を前記ＣＡＳモジュールに対して行うまでの間に、前記第１のチューナ、前記第２のチューナ、前記２Ｋチューナにより受信した前記各事業体の前記第２制御情報（ＥＣＭ）に対応した第２コマンド送信を前記ＣＡＳモジュールに対して行うこと、
前記第１のチューナにより受信された前記第１制御情報（ＥＭＭ）に対応した第１コマンド送信を前記ＣＡＳモジュールに対して行った後に前記第１のチューナにより受信された前記第１制御情報（ＥＭＭ）を破棄し、
前記第２のチューナにより受信された前記第１制御情報（ＥＭＭ）に対応した第１コマンド送信を前記ＣＡＳモジュールに対して行った後に前記第２のチューナにより受信された前記第１制御情報（ＥＭＭ）を破棄し、
前記２Ｋチューナにより受信された前記第１制御情報（ＥＭＭ）に対応した第１コマンド送信を前記ＣＡＳモジュールに対して行った後に前記２Ｋチューナにより受信された前記第１制御情報（ＥＭＭ）を破棄すること、を備える受信装置。
【手続補正２】
【補正対象書類名】明細書
【補正対象項目名】００１５
【補正方法】変更
【補正の内容】
【００１５】
実施形態によれば、  第１の事業体が送出する第１のサービス信号を含む、４Ｋ８Ｋ放送の少なくとも１つを受信し、前記第１のサービス信号に含まれる、暗号化された第１キー（Ｋｗ1）を含む前記第１の事業体の第１制御情報（ＥＭＭ１）、暗号化された第２キー（Ｋｓ1）を含む前記第１の事業体の第２制御情報（ＥＣＭ１）ならびにスクランブルコンテンツを受信する第１のチューナと、
第２の事業体が送出する第２のサービス信号を含む、４Ｋ８Ｋ放送の少なくとも１つを受信し、前記第２のサービス信号に含まれる、暗号化された第１キー（Ｋｗ２）を含む前記第２の事業体の第１制御情報（ＥＭＭ２）、暗号化された第２キー（Ｋｓ２）を含む前記第１の事業体の第２制御情報（ＥＣＭ２）ならびにスクランブルコンテンツを受信する第２のチューナと、
第３の事業体が送出する第３のサービス信号を含む、２Ｋ放送の少なくとも１つを受信し、前記第１のサービス信号に含まれる、暗号化された第１キー（Ｋｗ３）を含む前記第３の事業体の第１制御情報（ＥＭＭ３）、暗号化された第２キー（Ｋｓ３）を含む前記第３の事業体の第２制御情報（ＥＣＭ３）ならびにスクランブルコンテンツを受信する少なくとも１つの２Ｋチューナと、
前記第１のチューナ、第２のチューナ、２Ｋチューナから出力された前記スクランブルコンテンツをデスクランブルするデスクランブラと、
前記デスクランブラから出力されるコンテンツの所定のテーブルをチェックすること、前記所定のテーブルに含まれているパケットＩＤに基づいて、前記第１制御情報（ＥＭＭ）、前記第２制御情報（ＥＣＭ）を取り出すこと、前記第１のチューナ、前記第２のチューナ、前記２Ｋチューナ、及び前記デスクランブラの制御を行う制御部と、
前記制御部により制御され、各事業体の前記第１制御情報（ＥＭＭ）から、固有の第３キー（Ｋｍ）を用いて前記第１キー（Ｋｗ）を取得し、各事業体の前記第２制御情報（ＥＣＭ）から、取得された前記第１キー（Ｋｗ）を用いて、前記デスクランブラに与えるための前記第２キー（Ｋｓ）を取得するＣＡＳモジュールと、を備え、
さらに前記制御部は、前記第１制御情報（ＥＭＭ）を受信してから前記第１制御情報（ＥＭＭ）に対応した第１コマンド送信を前記ＣＡＳモジュールに対して行う第１の期間を事業体を単位として設定し、且つ、前記第１の期間に前記第１制御情報（ＥＭＭ）を最小Ｒ（１以上の整数）個処理すべきことを設定しており、
前記第１のチューナ、前記第２のチューナ、前記２Ｋチューナにより各事業体の前記第１制御情報（ＥＭＭ）が受信されてから所定の時間内に前記第１制御情報（ＥＭＭ）に対応した所定数の第１コマンド送信を前記ＣＡＳモジュールに対して行い、前記第１制御情報（ＥＭＭ）が受信されてから前記第１コマンド送信を前記ＣＡＳモジュールに対して行うまでの間に、前記第１のチューナ、前記第２のチューナ、前記２Ｋチューナにより受信した前記各事業体の前記第２制御情報（ＥＣＭ）に対応した第２コマンド送信を前記ＣＡＳモジュールに対して行うこと、
前記第１のチューナにより受信された前記第１制御情報（ＥＭＭ）に対応した第１コマンド送信を前記ＣＡＳモジュールに対して行った後に前記第１のチューナにより受信された前記第１制御情報（ＥＭＭ）を破棄し、
前記第２のチューナにより受信された前記第１制御情報（ＥＭＭ）に対応した第１コマンド送信を前記ＣＡＳモジュールに対して行った後に前記第２のチューナにより受信された前記第１制御情報（ＥＭＭ）を破棄し、
前記２Ｋチューナにより受信された前記第１制御情報（ＥＭＭ）に対応した第１コマンド送信を前記ＣＡＳモジュールに対して行った後に前記２Ｋチューナにより受信された前記第１制御情報（ＥＭＭ）を破棄すること、を備える受信装置が提供される。